(57)【特許請求の範囲】
【請求項１】
光ファイバケーブルのテンションメンバをスリーブに挿通して固定し、上記スリーブをリング部により牽引する光ファイバケーブルの牽引用端末具において、
軸中心に光ファイバケーブルのテンションメンバが挿通される挿通孔が設けられたチャック部材と、
前記チャック部材を収容する収容室が内部に設けられたスリーブと、
前記チャック部材を前記スリーブの小径端側に押し付ける弾性部材と、
リング部と、リング部の他端に設けられた雄ねじと、雄ねじの先端に設けられ、雄ねじよりも小径で前記弾性部材を支持する突起部と、リング部と雄ねじの間に設けられたフランジとが一体に形成されたアイボルトとを備え、
リング部は半円のリングと半円のリングから延長され直線状に延びる連結部を有し、フランジは円錐台形状をなし円錐台形状の斜面でリング部の連結部と一体に結合し、リング部の外径とフランジの外径とスリーブの外径とをほぼ同じ寸法にし、かつ、前記雄ねじ及び突起部には、前記突起部から光ファイバケーブルのテンションメンバよりもわずかに大きな径の受穴が堀り込まれていることを特徴とする光ファイバケーブルの牽引用端末具。
【請求項２】
請求項１に記載の光ファイバケーブルの牽引用端末具において、アイボルトのフランジの外周面にリング部を避けて複数の平面が設けられ、かつ、スリーブの外周面に複数の平面が設けられたことを特徴とする光ファイバケーブルの牽引用端末具。
【請求項３】
請求項１または２に記載の光ファイバケーブルの牽引用端末具において、スリーブとアイボルトの結合部及び光ファイバケーブルとスリーブの結合部を覆う保護材を設けたことを特徴とする光ファイバケーブルの牽引用端末具。
【発明の詳細な説明】
【０００１】
【発明の属する技術分野】
本発明は、テンションメンバを備えた光ファイバケーブルを敷設する際に、牽引のために光ファイバケーブルの端末に取付けられる光ファイバケーブルの牽引用端末具に係る技術分野に属する。
【０００２】
【従来の技術】
従来、光ファイバケーブルの牽引用端末具としては、例えば、図１０に記載のものが知られている。
【０００３】
この従来の光ファイバケーブルの牽引用端末具５０は、プーリングアイとも称せられるもので、軸中心に光ファイバケーブルのテンションメンバが挿通される挿通孔１１が設けられたチャック部材１と、チャック部材１を収容する収容室２１が内部に設けられたスリーブ２と、スリーブ２に螺合されるプーリングボルト３と、チャック部材１をスリーブ２の小径端側に押し付ける弾性部材４と、チャック部材１、スリーブ２、プーリングボルト３の一部、弾性部材４をガスケット１７を介して防水カバーするアルミキャン１５と、プーリングボルト３に連結され牽引用ロープが接続されるアイナット５とを主に備えている。
【０００４】
また、首部３３の隣にはガスケット１７を支持するガスケット受け３４がプーリングボルト３と一体に設けられ、図１０のガスケット１７より右側の部品はアルミキャン１５でカバーされ、アルミキャン１５は鉄製のキャップ１６を介して締付ナット７で締め込まれ、固定されている。また、図示しない光ファイバケーブルが差し込まれた後、アルミキャン１５の外径部（例えば１５１、１５２）は数カ所カシメられることで、防水構造としている。したがって、アルミキャン１５は、アイナット５から最も離れたカシメ位置１５２よりも少し長いものとなる。なお、アイナット５は、プーリングボルト３に締付ナット７に当接する位置まで螺合され、割ピン６で抜止めされる。
【０００５】
また、別の方式として、図示はしないが、ケーブルグリップと呼ばれ、細いワイヤを撚って金網形状にしたものを光ファイバケーブルの外皮に巻き付け、牽引部を引くと金網が強固に巻き付く構成のものも使用されている。
【０００６】
【発明が解決しようとする課題】
前述の従来の光ファイバケーブルの牽引用端末具５０では、部材点数が多く（１１点）、組立に時間がかかる。したがって、製造コストが高くなるという問題がある。また、プーリングボルト３に首部３３（ネジ部３１及び締付ナット７を締付けるための面３２を形成する）が設けられていて全長が長くなるため、牽引を案内する金車（ガイド部材）を通過する際に、曲がり角の大きな金車の場合は光ファイバケーブルに大きな折れ曲がりの力を受けて損傷してしまうことがあるという問題がある。
【０００７】
また、プーリングボルト３とアイナット５を連結するネジ部５２は光ファイバケーブルを牽引するために必要な強度を確保する必要があり、そのためにこのネジ部５２の外径を確保すると、リング部の内径はこのネジ部５２の外径より大きくする必要があり、その結果、図１０に示すように、アイナット５のリング部５１がスリーブ２の外径よりもかなり大きくなってしまい、重量増加を引き起こすという問題もあった。
【０００８】
また、別の方式の従来のケーブルグリップでは、金網で光ファイバケーブルの外皮を傷つけてしまうこと、及び外皮との摩擦力を利用しているので、過大な力が作用した場合は、外れてしまうという問題点がある。
【０００９】
なお、最近では、牽引用ロープに光ファイバケーブルの捻れを解消する撚戻具を設けて牽引するようになってきているので、撚戻しを気にしなくても構わない状況がある。
【００１０】
本発明は、このような問題点、状況を考慮してなされたもので、部材点数が少なく、簡単に組立ができ、全長を短くして引き回し性能を向上させ、大きな力が作用しても外れることなく確実に牽引できる光ファイバケーブルの牽引用端末具を提供することを課題とする。
【００１１】
【課題を解決するための手段】
前述の課題を解決するため、本発明に係る光ファイバケーブルの牽引用端末具は、次のような手段を採用する。
【００１２】
即ち、請求項１では、光ファイバケーブルのテンションメンバをスリーブに挿通して固定し、上記スリーブをリング部により牽引する光ファイバケーブルの牽引用端末具において、軸中心に光ファイバケーブルのテンションメンバが挿通される挿通孔が設けられたチャック部材と、前記チャック部材を収容する収容室が内部に設けられたスリーブと、前記チャック部材を前記スリーブの小径端側に押し付ける弾性部材と、リング部と、リング部の他端に設けられた雄ねじと、雄ねじの先端に設けられ、雄ねじよりも小径で前記弾性部材を支持する突起部と、リング部と雄ねじの間に設けられたフランジとが一体に形成されたアイボルトとを備え、リング部は半円のリングと半円のリングから延長され直線状に延びる連結部を有し、フランジは円錐台形状をなし円錐台形状の斜面でリング部の連結部と一体に結合し、リング部の外径とフランジの外径とスリーブの外径とをほぼ同じ寸法にし、かつ、前記雄ねじ及び突起部には、前記突起部から光ファイバケーブルのテンションメンバよりもわずかに大きな径の受穴が堀り込まれていることを特徴とする。
【００１３】
この手段では、光ファイバケーブルを牽引するためのリング部とスリーブに螺合される雄ねじとが一体に形成され、フランジは円錐台形状に形成されて高い強度を有し、光ファイバケーブルを牽引可能とする。また、リング部とフランジとスリーブがほぼ同じ外径となり、牽引をスムーズにし、また、防水処理を容易に施せる構成となる。
【００１４】
また、請求項２では、請求項１に記載の光ファイバケーブルの牽引用端末具において、アイボルトのフランジの外周面にリング部を避けて複数の平面が設けられ、かつ、スリーブの外周面に複数の平面が設けられたことを特徴とする。
【００１５】
この手段では、アイボルト及びスリーブの外周面に、アイボルトを手で締め付ける場合にもまたスパナ等の工具で締め付ける場合にも有用な面が設けられる。
【００１６】
また、請求項３では、請求項１または２に記載の光ファイバケーブルの牽引用端末具において、スリーブとアイボルトの結合部及び光ファイバケーブルとスリーブの結合部を覆う保護材を設けたことを特徴とする。
【００１７】
この手段では、牽引用端末具の内部が外部から完全に遮断される。
【００１８】
【発明の実施の形態】
以下、本発明に係る光ファイバケーブルの牽引用端末具の実施の形態を図１〜図９に基づいて説明する。
【００１９】
この実施の形態における光ファイバケーブルの牽引用端末具１００は、チャック部材１、スリーブ２、弾性部材４を前述の従来例と同様に使用している。ただし、前述の従来例のプーリングボルト３、アイナット５、締付ナット７、アルミキャン１５、キャップ１６、ガスケット１７、割ピン６の部品の代わりにアイボルト８を備えている。
【００２０】
チャック部材１は、軸中心に沿って２つに分割されたコーン形に形成されている。光ファイバケーブルＣのテンションメンバＴが挿通される挿通孔１１は、軸中心に貫通するように設けられ、光ファイバケーブルＣのテンションメンバＴよりもわずかに小さな径で鋸歯形の食込溝１２が形成されている。挿通孔１１の小径端側の端部には、外側へ向けて広がるテーパ部１３が連通している。
【００２１】
スリーブ２は、外周面の軸方向の全長にわたり平行な２つの平面２２が設けられた円筒形に形成されている。チャック部材１を収容する収容室２１は、チャック部材１よりも長い軸長のテーパ形に形成されている。なお、この収容室２１とチャック部材１との間には、錆の発生を防止してチャック部材１のスライドし易さを維持するためのグリスが塗布される。収容室２１の小径端側の端部には、外側へ向けて広がりスリーブ２の外部に開放され、光ファイバケーブルＣのテンションメンバＴの挿入部をなすテーパ部２３が連通している。収容室２１の大径端側の端部には、アイボルト８が螺合される雌ねじ２４が刻設されている。
【００２２】
弾性部材４は、チャック部材１とアイボルト８との間に弾圧収容されるコイルスプリングからなる。
【００２３】
アイボルト８は、フランジ８１、リング部８２からなる頭部と、雄ねじ８４、突起部８５、受穴８６からなる軸部で構成されている。
【００２４】
リング部８２は半円のリング８８と半円のリング８８から延長され直線状に延びる連結部８９を有している。
【００２５】
また、フランジ８１は円錐台形状をなし、円錐台形状の斜面８７でリング部８２の連結部８９と一体に結合している。また、フランジ８１の外周面に、リング部８２（連結部８９）を避けて２つの平面８３が設けられている。
【００２６】
アイボルト８の雄ねじ８４の先端には、雄ねじ８４よりも小径で弾性部材４を支持する筒形の突起部８５が設けられている。雄ねじ８４及び突起部８５には、突起部８５から光ファイバケーブルＣのテンションメンバＴよりもわずかに大きな径の受穴８６が堀り込まれて、テンションメンバＴがチャック部材１と十分な長さで結合するのを可能にしている。
【００２７】
さらに、アイボルト８のリング部８２の外径と、フランジ８１の外径と、スリーブ２の外径を、図１、図２などに示すように、ほぼ同じ寸法としている。
【００２８】
この実施の形態によると、前述の従来例のプーリングボルト３、アイナット５などがアイボルト８として一体化され、前述の従来例の割ピン６、締付ナット７などが省略されている。また、アイボルト８のフランジ８１が円錐台形状であることにより、フランジ８１とリング部８２が高い強度を有して一体化されている。したがって、前述の従来例に比して部材点数が大幅に削減され（従来例の１１点から５点に削減）、製造コストが安価になるとともに、全長が短くなって、牽引を案内する金車が曲がり角の大きな金車であっても、通過の際に光ファイバケーブルＣに折曲がりの力を受けて損傷してしまうことが防止される。
【００２９】
また、アイボルト８のリング部８２の外径と、フランジ８１の外径と、スリーブ２の外径を、ほぼ同じ寸法としたので、牽引を案内する金車の通過がスムーズとなり、金車との接触などによる騒音の発生も少なくなる。すなわち、光ファイバケーブルＣの引き回し性能が向上することになる。なお、アイボルト８のフランジ８１の平面８３及びスリーブ２の平面２２が設けられることによる段差（真円部との）は小さなものとしており、また、フランジ８１の円錐台形状の斜面８７により障害物と当たっても外側に逃げる構造となっているので、光ファイバケーブルＣの引き回し性能を損なうことはない。
【００３０】
なお、アイボルト８には従来例のプーリングボルト３の面３２を形成する首部３３、ガスケット受け３４、ガスケット１７、締付ナット７に相当する部分がないことも、全長の短縮に寄与している。
【００３１】
ここで、光ファイバケーブルの牽引用端末具１００を光ファイバケーブルＣに取り付ける場合、図５（ａ）に示すように、アイボルト８を十分に緩めておいて、光ファイバケーブルＣのテンションメンバＴをスリーブ２のテーパ部２３からチャック部材１の挿通孔１１に挿通する。このとき、リング部８２やフランジ８１または平面８３を指で掴んでアイボルト８を回動させることができ、掴む場所が雄ねじ８４に近く、アイボルト８が短いため、アイボルト８の回動操作が従来例に比べて容易になる。また、スリーブ２のテーパ部２３とチャック部材１のテーパ部１３とが光ファイバケーブルＣのテンションメンバＴの先端部を滑らせて芯合わせするため、光ファイバケーブルＣのテンションメンバＴの挿通が容易になる。
【００３２】
なお、光ファイバケーブルＣのテンションメンバＴが挿通される際には、２つに分割されているチャック部材１が分離して挿通孔１１が拡開されることになり、チャック部材１の挿通孔１１に光ファイバケーブルＣのテンションメンバＴが確実に挿通される。
【００３３】
この後、図５（ｂ）に示すように、アイボルト８を回動して、突起部８５で支持された弾性部材４をチャック部材１の大径端側の端面に強く当接させてチャック部材１をスリーブ２の収容室２１の小径端側に締付ける。このとき、リング部８２などを指で掴んでアイボルト８を回動させることができ、スリーブ２の平面２２とアイボルト８の平面８３とにそれぞれスパナ等の工具を掛けてアイボルト８を回動させることもできる。なお、スリーブ２の平面２２が軸長の全長にわたって設けられているため、アイボルト８の平面８３に掛けられたスパナ等に対し、スリーブ２の平面２２に掛けられるスパナ等の工具を掛ける位置を自由に調整することができる。
【００３４】
アイボルト８を締め込むことで、図６、図７に示すように、分離したチャック部材１が近接して挿通孔１１が収縮することになり、チャック部材１の食込溝１２が光ファイバケーブルＣのテンションメンバＴに食込んで確実に取付けられる。なお、リング部８２などを指で掴んでアイボルト８を回動させることでも、十分な牽引力を得られることが実験で確認されている。
【００３５】
また、障害が多い場所の引き回しなどには、アイボルト８に面８３を、及び、スリーブ２に面２２を設けたので、スパナ等の工具を掛けてアイボルト８を回動させると、チャック部材１の食込溝１２の光ファイバケーブルＣのテンションメンバＴへの食込みをより強固にして、光ファイバケーブルＣのテンションメンバＴへの取り付けをより強固にすることができる。
【００３６】
なお、防水のために、光ファイバケーブルＣからアイボルト８にかけて防水用のビニルテープを巻付けることも可能である。このとき、アイボルト８のリング部８２の外径とフランジ８１の外径とスリーブ２の外径がほぼ同じ寸法であるので、ビニルテープを巻付けるのが容易である。この構成により、実用上は十分な防水性能が得られ、図１０に示す従来の光ファイバケーブルの牽引用端末具５０とチャック部材１を同じサイズにして比較すると、この実施の形態の光ファイバケーブルの牽引用端末具１００は小型化及び部品点数の削減（ビニルテープを加えて６点）が達成できていることが分かる。
【００３７】
光ファイバケーブルの牽引用端末具１００を光ファイバケーブルＣから取外す場合は、図８（ａ）に示すように、光ファイバケーブルＣをスリーブ２の近くで切断する。この後、図８（ｂ）に示すように、アイボルト８をスリーブ２から回動離脱させ、チャック部材１の締付けを解除して、光ファイバケーブルＣのテンションメンバＴをチャック部材１、スリーブ２から引抜く。なお、再使用に際しては、チャック部材１の外周面にグリスを塗布した後に、図１に示すように組付けることになる。
【００３８】
図９は、この実施の形態の使用の際に気密性、水密性が高く要求される場合に好適な例を示している。即ち、スリーブとアイボルトの結合部及び光ファイバケーブルのテンションメンバとスリーブの挿入部を覆う保護材として、接着剤付きの熱収縮チューブ９を光ファイバケーブルＣからスリーブ２を介してアイボルト８のフランジ８２まで被せ、ホットガンで１２０℃程度に加熱して熱収縮チューブ９を収縮させて光ファイバケーブルＣ、スリーブ２、アイボルト８に密着させるものである。
【００３９】
これによれば、スリーブ２の内部へ通じる隙間が完全に閉ざされ、完全な防水用の光ファイバケーブルの牽引用端末具が達成される。また、図１０に示す従来の光ファイバケーブルの牽引用端末具５０とチャック部材１を同じサイズにして比較しても、小型化及び部品点数の削減が達成できているのが分かる。
【００４０】
なお、この実施の形態では、アイボルト８の平面８３及びスリーブ２の平面２２は２面としたが、４面や６面など平行な面を適度に複数設けることもでき、これにより回動をより容易にし、またスパナなどをかけ易くできる。また、手で回すことでも十分な牽引力が得られることから、図１１、図１２に示すように、アイボルト８の平面８３及びスリーブ２の平面２２をなくすることも可能である。
【００４１】
また、この実施の形態では、アイボルト８のフランジ８１は円錐台形状としたが、完全な円錐台形状である必要はなく、例えばリング部８２の連結部８９と連結する部分の周辺部のみが肉盛りされた形状であっても牽引のために十分な強度を有するので可能である。
【００４２】
【発明の効果】
以上のように、本発明に係る光ファイバケーブルの牽引用端末具は、光ファイバケーブルのテンションメンバをスリーブに挿通して固定し、上記スリーブをリング部により牽引する光ファイバケーブルの牽引用端末具において、リング部と、リング部の他端に設けられた雄ねじと、リング部と雄ねじの間に設けられたフランジとが一体に形成されたアイボルトを備え、リング部は半円のリングと半円のリングから延長され直線状に延びる連結部を有し、フランジは円錐台形状をなし円錐台形状の斜面でリング部の連結部と一体に結合し、リング部の外径とフランジの外径とスリーブの外径とをほぼ同じ寸法にしたので、部材点数が少なく、簡単に組立ができ、全長を短くして引き回し性能を向上させ、大きな力が作用しても外れることなく確実に牽引できるという効果がある。
【００４３】
また、アイボルトを手でスリーブにねじ込むことでも十分な牽引力が得られるので、作業性を向上できるという効果がある。
【００４４】
また、リング部の外径とフランジの外径とスリーブの外径をほぼ同じ寸法としたので、ビニルテープなどによる簡易的な防水を容易に行えるという効果がある。
【図面の簡単な説明】
【図１】  本発明に係る光ファイバケーブルの牽引用端末具の実施の形態を示す断面図である。
【図２】  図１の側面図である。
【図３】  図１のＸ−Ｘ線拡大断面図である。
【図４】  図１の分解した斜視図である。
【図５】  図１の光ファイバケーブルへの取付作業を示すもので、（ａ），（ｂ）の順に作業工程が示されている。
【図６】  図１の光ファイバケーブルへの取付状態の断面図である。
【図７】  図６のＹ−Ｙ線拡大断面図である。
【図８】  図１の光ファイバケーブルからの取り外し作業を示すもので、部品構成を一部省略した縮小図であり、（ａ）、（ｂ）の順に作業工程が示されている。
【図９】  図１の他の使用例を示す断面図である。
【図１０】  従来例を示す断面図である。
【図１１】  本発明に係る光ファイバケーブルの牽引用端末具の他の実施の形態を示す断面図である。
【図１２】  図１１の側面図である。
【符号の説明】
１            チャック部材
２            スリーブ
３            プーリングボルト
４            弾性部材
５            アイナット
６            割ピン
７            締付ナット
８            アイボルト
９            熱収縮チューブ
１５          アルミキャン
１６          キャップ
１７          ガスケット
２２          平面
２４          雌ねじ
３１          ネジ部
３２          面
３３          首部
３４          ガスケット受け
５０          光ファイバケーブルの牽引用端末具
５１          リング部
５２          ネジ部
８１          フランジ
８２          リング部
８３          平面
８４          雄ねじ
８５          突起部
８６          受穴
８７          斜面
１００        光ファイバケーブルの牽引用端末具
Ｃ            光ファイバケーブル
Ｒ            牽引用ロープ
Ｔ            テンションメンバ
【図１】
0004306975.tif 000002
【図２】
0004306975.tif 000003
【図３】
0004306975.tif 000004
【図４】
0004306975.tif 000005
【図５】
0004306975.tif 000006
【図６】
0004306975.tif 000007
【図７】
0004306975.tif 000008
【図８】
0004306975.tif 000009
【図９】
0004306975.tif 000010
【図１０】
0004306975.tif 000011
【図１１】
0004306975.tif 000012
【図１２】
0004306975.tif 000013